(57)【要約】      （修正有）【課題】本考案の骨伝導電話拡声器は、一般電話機及び携帯電話機の受話部に誰でも簡単に装着でき、周囲の騒音下や難聴の方が確実に音を認識できることを課題としている。【解決手段】本体ケース上部に一般電話機及び携帯電話機の受話部に取り付けるための伸縮性の装着バンドを配し、本体ケース上部に駆動用電池ケース収納部を設け、簡単に電池交換ができるようにし、使用者の頭蓋骨等体に接触する骨導部飾り及び骨導用振動板と骨導スピーカユニットを固定、保護する共振防止部材の突起部で、電源の入り切りを可能とし、本体ケース下部に平らな防振衝撃緩和部材を接合または接着もしくは貼り付けし、ＥＭＣ用の開口部を設けている。このように平らな防振衝撃緩和部材を使用することで、携帯電話の液晶画面の保護及び装着時の安定性を向上させることを特徴としている。【選択図】図１
0003106645.tif 000002
【実用新案登録請求の範囲】
【請求項１】
本考案の骨伝導電話拡声器は、一般電話機及び携帯電話機の受話部に取り付ける装着バンドと、本体上部に骨導スピーカユニット（特願２００３−３５６９８９）及び電池収納部を配した本体と、本体下部に防振衝撃緩和部材及びＥＭＣ（コンデンサーマイク）から成る骨伝導電話拡声器。
【請求項２】
前記装着バンドは、伸縮性の非磁性体の金属部材、セラミックス、プラスチック、ゴム等の部材で、一般電話機及び携帯電話機の受話器部に容易に固定、装着できことを特徴とした請求項１に記載の骨伝導電話拡声器。
【請求項３】
前記骨導スピーカユニット（特願２００３−３５６９８９）を非磁性体の金属部材、セラミックス、プラスチック、ゴム等の部材を使用した共振防止部材で固定することを特徴とした請求項１に記載の骨伝導電話拡声器。
【請求項４】
前記共振防止部材の下部中央部周辺に突起を設け、前記骨導スピーカユニット（特願２００３−３５６９８９）の骨導振動板に使用者の頭蓋骨等体に接触させた圧力により当該突起で基板上のスイッチを押すことで、電源の入り切りを行うことを特徴とした請求項１に記載の骨伝導電話拡声器。
【請求項５】
非磁性体の金属部材、セラミックス、プラスチック、ゴム等の部材を使用した前記防振衝撃緩和部材に前記ＥＭＣ用の開口部を設け、装着時に携帯電話等の液晶画面を保護し、安定性の向上を特徴とした請求項１に記載の骨伝導電話拡声器。
【考案の詳細な説明】
【技術分野】
【０００１】  本考案は、一般電話機及び携帯電話機の受話部に装着する電話拡声器に係わり、電話拡声器のスピーカ部に骨導スピーカユニット（特願２００３−３５６９８９）を採用することにより、周囲の騒音下や難聴の方が確実に音を認識できることを目的にした骨伝導電話拡声器に関するものである。
【背景技術】
【０００２】  一般電話機の受話器に取り付けて使用する従来型の電話拡声器は、受話器スピーカからの音を増幅し、電話拡声器のスピーカで聞く方式である。【０００３】  この方式は、鼓膜を振動させて音を認識する気導音伝達ため、周囲の騒音下や難聴の方が確実に音を認識することが非常に困難である。【０００４】  また、従来型の電話拡声器は、携帯電話機の受話部に対応していないため、装着が非常に困難な問題がある。
【考案の開示】
【考案が解決しようとする課題】
【０００５】  本考案は、一般電話機及び携帯電話機の受話部に誰でも簡単に装着でき、周囲の騒音下や難聴の方が確実に音を認識できることを課題としている。
【課題を解決するための手段】
【０００６】  本考案は、本体ケース上部に一般電話機及び携帯電話機の受話部に取り付けるための伸縮性の装着バンドを配し、本体ケース上部に駆動用電池ケース収納部を設け、簡単に電池交換ができるようにし、使用者の頭蓋骨等体に接触する骨導部飾り及び骨導用振動板と骨導スピーカユニット（特願２００３−３５６９８９）を固定、保護する共振防止部材の突起部で、電源の入り切りを可能とすることを特徴としている。【０００７】  本考案は、本体ケース下部に平らな防振衝撃緩和部材を接合または接着もしくは貼り付けし、ＥＭＣ用の開口部を設けている。このように平らな防振衝撃緩和部材を使用することで、携帯電話の液晶画面の保護及び装着時の安定性を向上させることを特徴としている。
【考案の効果】
【０００８】  このように、本考案の骨伝導電話拡声器は、使用者の操作性を大幅に改善し、周囲の騒音下や難聴の方が確実に音を認識できることが可能となる。
【考案を実施するための最良の形態】
【０００９】  本考案の実施の形態を添付図面に基づいて説明する。図１は、本考案に係わる骨伝導電話拡声器本体の上面図である。本体ケース上部１に電池交換用の電池交換フタ２、骨導用振動板３、非磁性体の金属部材、プラスチック、ゴム等でできた骨導部飾り４、側面に装着バンド２１を配した構造になっている。【００１０】  図２は、本考案に係わる骨伝導電話拡声器本体の下面図である。本体ケース上部１と本体ケース下部５は、固定ネジ穴２５にビス等で固定される。本体ケース下部５の内側からＥＭＣ防振衝撃緩和部材１５に挿入固定されたＥＭＣ８を配し、本体ケース下部５の固定ネジ穴２５側に、防振衝撃緩和部材６を接合または接着もしくは貼り付けした構造になっている。【００１１】  図３は本考案に係わる本体ケース上部１に装着バンド２１を装着バンド固定部２３で本体ケース上部１固定し、装着バンド２１の装着バンド固定金具２２で、一般電話及び携帯電話機の受話部を本体ケース上部１の装着バンド固定金具２２用の受け金具等で装着する構造になっている。【００１２】  図４は、本考案に係わる骨伝導電話拡声器の上下方向から見た側面図である。電池交換フタは、スライドさせて開くことができ、電池交換を容易にできる構造になっている。【００１３】  図５は、本考案に係わる防振衝撃緩和部材６の平面図である。開口部９を設けることによって、一般電話機及び携帯電話機の受話部位置の寸法差を吸収でき、当該骨伝導電話拡声器のＥＭＣ８に受話部の音を伝えることができる構造になっている。【００１４】  図６は、本考案に係わる骨導スピーカユニット２８と共振防止部材１０の断面図である。骨導スピーカユニット２８を共振防止部材１０の固定穴１１を使用してビスで固定する。骨導スピーカユニット２８と骨導用振動板３の振動板固定穴１４を使用して、ビスで固定する。組立後、共振防止部材１０のケース固定穴１２を使用して、本体ケース上部１にビス等で固定する構造になっている。【００１５】  図７は、本考案に係わるＥＭＣ防振衝撃緩和部材１５の平面図と側面図である。ヒダ１６は、本体ケース下部５に接合及び接着もしくは貼り付けを容易にでき、ＥＭＣ収納部１８にＥＭＣ８を開口部から挿入してＥＭＣ８のリード線を引き出し用穴１７に通す構造になっている。【００１６】  図８は、本考案に係わるＥＭＣ防振衝撃緩和部材１５及び本体ケース下部５と防振衝撃緩和部材６を接合または接着もしくは貼り付けした断面図である。開口部９に対してＥＭＣ８の取り付け位置をずらすことにより、一般電話及び携帯電話の受話部位置の寸法差を吸収できる構造になっている。
【実施例】
【００１７】  図９は、当該骨伝導電話拡声器２９を一般電話機の受話部３０に装着バンド２１で取り付けた実地予想図である。装着バンド２１の伸縮性で受話部の厚みを吸収している。また、防振衝撃緩和部材６の開口部９により、一般電話機の受話部３０からの音をＥＭＣ８に効率よく伝えることが可能となる。【００１８】  図１０は、当該骨伝導電話拡声器２９を携帯電話機の受話部３１に装着バンド２１で取り付けた実地予想図である。装着バンド２１の伸縮性で薄手の携帯電話機の受話部３１に簡単に取り付けができ、携帯電話の液晶画面部を平らな防振衝撃緩和部材６で保護している。また、防振衝撃緩和部材６の開口部９により、携帯電話の受話部３１からの音をＥＭＣ８に効率よく伝えることが可能となる。【００１９】  組立作業において、本体ケース１及び本体ケース５の内側に非磁性体の金属部材等を塗布または接着もしくは貼り付けをして、外部からの雑音進入防止対策を行うことにより、品質の高い骨伝導電話拡声器を提供することが可能になる。
【図面の簡単な説明】
【００２０】
【図１】  本考案の骨伝導電話拡声器本体の上面図である。
【図２】  本考案の骨伝導電話拡声器本体の下面図である。
【図３】  本考案の骨伝導電話拡声器本体の両側面図である。
【図４】  本考案の骨伝導電話拡声器本体の上下方向から見た側面図である。
【図５】  本考案の防振衝撃緩和部材の平面図である。
【図６】  本考案の骨導スピーカユニット、骨導用振動子、骨導部飾り、共振防止部材の断面図である。
【図７】  本考案のＥＣＭ防振衝撃緩和部材の平面図と側面図である。
【図８】  本考案のＥＣＭ防振衝撃緩和部材、本体ケース下部、防振衝撃緩和部材との取り付け図である。
【図９】  本考案の骨伝導電話拡声器を一般電話機の受話部に装着した図である。
【図１０】  本考案の骨伝導電話拡声器を携帯電話機の受話部に装着した図である。
【符号の説明】
【００２１】  １  本体ケース上部
２  電池交換フタ
３  骨導用振動板
４  骨導部飾り
５  本体ケース下部
６  防振衝撃緩和部材
７  開口部切り口
８  ＥＣＭ（コンデンサーマイク）
９  開口部
１０  共振防止部材
１１  ユニット固定穴
１２  ケース固定穴
１３  突起
１４  振動板固定穴
１５  ＥＣＭ防振衝撃緩和部材
１６  ヒダ
１７  引き出し用穴
１８  ＥＭＣ収納部
１９  骨伝導電話拡声器本体ケース下面肉厚寸法
２０  接合・接着・貼り付け
２１  装着バンド
２２  装着バンド固定金具
２３  装着バンド固定部
２４  本体ボリューム
２５  固定ネジ穴
２６  突起Ａ
２７  突起Ｂ
２８  骨導スピーカユニット（特願２００３−３５６９８９）
２９  当該骨伝導電話拡声器
３０  一般電話機の受話部
３１  携帯電話機の受話部
【図１】
0003106645.tif 000003
【図２】
0003106645.tif 000004
【図３】
0003106645.tif 000005
【図４】
0003106645.tif 000006
【図５】
0003106645.tif 000007
【図６】
0003106645.tif 000008
【図７】
0003106645.tif 000009
【図８】
0003106645.tif 000010
【図９】
0003106645.tif 000011
【図１０】
0003106645.tif 000012
【手続補正書】
【提出日】平成16年8月12日(2004.8.12)
【手続補正１】
【補正対象書類名】実用新案登録請求の範囲
【補正対象項目名】全文
【補正方法】変更
【補正の内容】
【実用新案登録請求の範囲】
【請求項１】
本考案の骨伝導電話拡声器は、一般電話機及び携帯電話機の受話部に取り付ける装着バンドと、本体上部に蝸牛に振動を伝える骨導スピーカユニット及び電池収納部を配した本体と、本体下部に防振衝撃緩和部材及び音を集音するためのＥＣＭ（コンデンサーマイク）から成る骨伝導電話拡声器。
【請求項２】
前記装着バンドは、伸縮性の非磁性体の金属部材、セラミックス、プラスチック、ゴム等の部材で、一般電話機及び携帯電話機の受話器部に容易に固定、装着できことを特徴とした請求項１に記載の骨伝導電話拡声器。
【請求項３】
前記骨導スピーカユニットを非磁性体の金属部材、セラミックス、プラスチック、ゴム等の部材を使用した共振防止部材で固定することで音響結合を防止することを特徴とした請求項１に記載の骨伝導電話拡声器。
【請求項４】
前記共振防止部材の下部中央部周辺に突起を設け、前記骨導スピーカユニットの骨導振動板に使用者が頬骨、頭蓋骨等に接触させた圧力により当該突起で基板上のスイッチの入り切りを行い電池の消耗を抑えることを特徴とした請求項１に記載の骨伝導電話拡声器。
【請求項５】
非磁性体の金属部材、セラミックス、プラスチック、ゴム等の部材を使用した前記防振衝撃緩和部材に前記ＥＣＭ用の開口部を設け、装着時に携帯電話等の液晶画面を保護し、安定性の向上を特徴とした請求項１に記載の骨伝導電話拡声器。
【手続補正２】
【補正対象書類名】明細書
【補正対象項目名】全文
【補正方法】変更
【補正の内容】
【考案の詳細な説明】
【考案の詳細な説明】
【技術分野】
【０００１】  本考案は、一般電話機及び携帯電話機の受話部に装着する電話拡声器に係わり、電話拡声器のスピーカ部に骨導スピーカユニットを採用することにより、周囲の騒音下や難聴の方が確実に音を認識できることを目的にした骨伝導電話拡声器に関するものである。
【背景技術】
【０００２】  一般電話機の受話器に取り付けて使用する従来型の電話拡声器は、受話器スピーカからの音を増幅し、電話拡声器のスピーカで聞く方式である。【０００３】  この方式は、鼓膜を振動させて音を認識する気導音伝達ため、周囲の騒音下や難聴の方が確実に音を認識することが非常に困難である。【０００４】  また、従来型の電話拡声器は、携帯電話機の受話部に対応していないため、装着が非常に困難な問題がある。
【考案の開示】
【考案が解決しようとする課題】
【０００５】  本考案は、一般電話機及び携帯電話機の受話部に誰でも簡単に装着でき、周囲の騒音下や難聴の方が確実に音を認識できることを課題としている。
【課題を解決するための手段】
【０００６】  本考案は、本体ケース部に一般電話機及び携帯電話機の受話部に取り付けるための伸縮性の装着バンドを配し、本体ケース上部に駆動用電池ケース収納部を設け、簡単に電池交換ができるようにし、使用者が頬骨、頭蓋骨等に接触する骨導部飾り及び骨導用振動板と骨導スピーカユニットを固定、保護する共振防止部材の突起部で、電源の入り切りを可能とすることを特徴としている。【０００７】  本考案は、本体ケース下部に平らな防振衝撃緩和部材を接合または接着もしくは貼り付けし、ＥＣＭ用の開口部を設けている。このように平らな防振衝撃緩和部材を使用することで、携帯電話の液晶画面の保護及び装着時の安定性を向上させることを特徴としている。
【考案の効果】
【０００８】  このように、本考案の骨伝導電話拡声器は、使用者の操作性を大幅に改善し、周囲の騒音下や難聴の方が確実に音を認識できることが可能となる。
【考案を実施するための最良の形態】
【０００９】  本考案の実施の形態を添付図面に基づいて説明する。図１は、本考案に係わる骨伝導電話拡声器本体の上面図である。本体ケース上部１に電池交換用の電池交換フタ２、骨導用振動板３、非磁性体の金属部材、プラスチック、ゴム等でできた骨導部飾り４、動作確認用ＬＥＤランプ２３、側面に装着バンド２１と音量調整用の本体ボリューム２４を配した構造になっている。【００１０】  図２は、本考案に係わる骨伝導電話拡声器本体の下面図である。本体ケース上部１と本体ケース下部５は、４箇所の固定ネジ穴２５にビス等で固定される。本体ケース下部５の内側からＥＣＭ防振衝撃緩和部材１５に挿入固定されたＥＣＭ８を配し、本体ケース下部５の固定ネジ穴２５で組み立て後、開口部切り口７を施した防振衝撃緩和部材６を接合または接着もしくは貼り付けした構造になっている。【００１１】  図３は本考案に係わる本体ケース上部１と本体ケース下部５の側面図で、メイン電源スイッチ２２及び装着バンド２１を本体ケース上部１と本体ケース下部５で挟み込んで固定し、一般電話及び携帯電話機の受話部を本体ケース下部５の防振衝撃緩和部材６と装着バンド２１のマジックテープ部で装着する構造になっている。【００１２】  図４は、本考案に係わる骨伝導電話拡声器の上下方向から見た側面図である。電池交換フタ２は、スライドさせて開くことができ、電池交換を容易にできる構造になっている。【００１３】  図５は、本考案に係わる防振衝撃緩和部材６の平面図である。開口部切り口７を施した開口部９を設けることによって、一般電話機及び携帯電話機の受話部位置の寸法差を吸収でき、当該骨伝導電話拡声器のＥＣＭ８に受話部の音を効率よく伝えることができる構造になっている。【００１４】  図６は、本考案に係わる共振防止部材１０の断面図と上から見た図である。断面図のハッチ部に固定穴１１を使用して骨導スピーカユニット２８をビスで固定し、骨導スピーカユニット２８のリード線を穴１３から電子基板へ引き出す構造になっている。【００１５】  図７は、本考案に係わるＥＣＭ防振衝撃緩和部材１５の平面図と側面図である。ヒダ１６は、本体ケース下部５に接合及び接着もしくは貼り付けを容易にでき、ＥＣＭ収納部１８にＥＣＭ８を開口部から挿入してＥＣＭ８のリード線を引き出し用穴１７に通す構造になっている。【００１６】  図８は、骨導スピーカユニット２８である。共振防止部材１０に固定された骨導スピーカユニット２８に骨導用振動板３の振動板固定穴１４を使用して、ビスで固定する。組立後、共振防止部材１０のケース固定穴１２を使用して、本体ケース上部１にビス等で固定する構造になっている。本構造は、使用者の頬骨、頭蓋骨等に接触する骨導部飾り４及び骨導用振動板３と骨導スピーカユニット２８を固定、保護する共振防止部材１０の突起Ｂ２７と突起Ａ２６部で、基板上のスイッチの入り切りを可能とし、電池の消耗を抑える構造となっている。
【実施例】
【００１７】  図９は、当該骨伝導電話拡声器２９を一般電話機の受話部３０に装着バンド２１で取り付けた実地予想図である。装着バンド２１の伸縮性で受話部の厚みを吸収している。また、防振衝撃緩和部材６の開口部９により、一般電話機の受話部３０からの音をＥＣＭ８に効率よく伝えることが可能となる【００１８】  図１０は、当該骨伝導電話拡声器２９を携帯電話機の受話部３１に装着バンド２１で取り付けた実地予想図である。装着バンド２１の伸縮性で薄手の携帯電話機の受話部３１に簡単に取り付けができ、携帯電話の液晶画面部を平らな防振衝撃緩和部材６で保護している。また、防振衝撃緩和部材６の開口部９により、携帯電話の受話部３１からの音をＥＣＭ８に効率よく伝えることが可能となる。【００１９】  組立作業において、本体ケース１及び本体ケース５の内側に非磁性体の金属部材等を塗布または接着もしくは貼り付けをして、外部からの雑音進入防止対策を行うことにより、品質の高い骨伝導電話拡声器を提供することが可能となる。
【図面の簡単な説明】
【００２０】
【図１】  本考案の骨伝導電話拡声器本体の上面図である。
【図２】  本考案の骨伝導電話拡声器本体の下面図である。
【図３】  本考案の骨伝導電話拡声器本体の両側面図である。
【図４】  本考案の骨伝導電話拡声器本体の上下方向から見た側面図である。
【図５】  本考案の防振衝撃緩和部材の平面図である。
【図６】  本考案の骨導スピーカユニット用共振防止部材の断面図と上から見た図である。
【図７】  本考案のＥＣＭ防振衝撃緩和部材の平面図と側面図である。
【図８】  本考案に採用した骨導スピーカユニットの断面図と上から見た図である。
【図９】  本考案の骨伝導電話拡声器を一般電話機の受話部に装着した図である。
【図１０】  本考案の骨伝導電話拡声器を携帯電話機の受話部に装着した図である。
【符号の説明】
【００２１】    １  本体ケース上部
２  電池交換フタ
３  骨導用振動板
４  骨導部飾り
５  本体ケース下部
６  防振衝撃緩和部材
７  開口部切り口
８  ＥＣＭ（コンデンサーマイク）
９  開口部
１０  共振防止部材
１１  固定穴
１２  ケース固定穴
１３  穴
１４  振動板固定穴
１５  ＥＣＭ防振衝撃緩和部材
１６  ヒダ
１７  引き出し用穴
１８  ＥＣＭ収納部
１９  骨伝導電話拡声器本体ケース下面肉厚寸法
２０  接合・接着・貼り付け
２１  装着バンド
２２  メイン電源スイッチ
２３  動作確認用ＬＥＤランプ
２４  本体ボリューム
２５  固定ネジ穴
２６  突起Ａ
２７  突起Ｂ
２８  骨導スピーカユニット
２９  当該骨伝導電話拡声器
３０  一般電話機の受話部
３１  携帯電話機の受話部
【手続補正３】
【補正対象書類名】図面
【補正対象項目名】全図
【補正方法】変更
【補正の内容】
【図１】
0003106645.tif 000013
【図２】
0003106645.tif 000014
【図３】
0003106645.tif 000015
【図４】
0003106645.tif 000016
【図５】
0003106645.tif 000017
【図６】
0003106645.tif 000018
【図７】
0003106645.tif 000019
【図８】
0003106645.tif 000020
【図９】
0003106645.tif 000021
【図１０】
0003106645.tif 000022